(57)【要約】【課題】蓄電装置の外装体の側壁部のたわみを抑制することができる構造の蓄電装置を提供することにある。【解決手段】蓄電素子４００と、底面２３５と、底面２３５からＺ軸方向に沿って上側に少なくとも延びる側壁部２３１と、側壁部２３１を支持する第二仕切板２２２とを少なくとも有する外装体２００と、を備え、側壁部２３１は、Ｚ軸方向の端部が、蓄電素子４００の容器４１０の上側の端部よりも、上側の領域である第一領域Ａ１に位置するように形成され、第二仕切板２２２は、少なくとも第一領域Ａ１において側壁部２３１と接続されており、側壁部２３１を支持する。【選択図】図４
2014197518.tif 000002
【特許請求の範囲】
【請求項１】
蓄電素子と、
底面と、前記底面から前記底面に交差する第一方向の一方側に少なくとも延びる側壁部と、前記側壁部を支持する支持部とを少なくとも有する外装体と、
を備え、
前記側壁部は、前記第一方向の端部が、前記蓄電素子の容器の前記第一方向の一方側の端部よりも、前記第一方向の一方側の領域である第一領域に位置するように形成され、
前記支持部は、少なくとも前記第一領域において前記側壁部と接続されており、前記側壁部を支持する
蓄電装置。
【請求項２】
前記外装体は、少なくとも、互いに対向する一対の前記側壁部を有し、
前記支持部は、少なくとも前記第一領域において前記一対の側壁部と接続されており、前記一対の側壁部を支持する
請求項１に記載の蓄電装置。
【請求項３】
前記外装体は、前記側壁部と嵌合する嵌合部を有する蓋体を有する
請求項１または２に記載の蓄電装置。
【請求項４】
さらに、
前記第一方向の一方側に配置され、前記蓄電素子と当接する当接部材を備え、
前記支持部は、前記当接部材よりも前記第一方向の一方側の第二領域において前記側壁部と接続されており、前記側壁部を支持する
請求項１から３のいずれか１項に記載の蓄電装置。
【請求項５】
前記蓄電素子は、複数設けられ、
前記外装体は、複数の前記蓄電素子を収納し、
前記支持部は、前記複数の蓄電素子の間に設けられ、前記外装体により形成される前記蓄電素子を収納する収納空間を分割する仕切りである
請求項４に記載の蓄電装置。
【請求項６】
前記支持部は、切り欠き部または貫通孔を有する
請求項１から５のいずれか１項に記載の蓄電装置。
【請求項７】
前記外装体の前記側壁部は、前記第一方向に延びるとともに、前記第一方向と交差する第二方向に沿って延びており、
前記支持部は、前記側壁部の前記第二方向の中央付近の位置において、前記側壁部と一体成型されている
請求項１から６のいずれか１項に記載の蓄電装置。
【請求項８】
前記支持部は、前記第一方向の一方側に向かうほど、剛性が大きい
請求項１から７のいずれか１項に記載の蓄電装置。
【請求項９】
前記支持部は、前記第一方向の一方側に向かうほど、厚みが厚い
請求項８に記載の蓄電装置。
【発明の詳細な説明】
【技術分野】
【０００１】
本発明は、蓄電素子が外装体に収納されることによりなる蓄電装置に関する。
【背景技術】
【０００２】
従来、特許文献１に示すような、複数の単電池が外装体に収納されてなる蓄電装置がある。このような蓄電装置の外装体は、複数の単電池を収納するための収納空間を形成し、かつ、開口を有する。外装体は、典型的には六面体の一面を除く箱状の部材であり、より具体的には、長方形状の底面から底面に垂直な方向に４つの側壁部が延びる構造である。
【先行技術文献】
【特許文献】
【０００３】
【特許文献１】特許第４６３８５２８号公報
【発明の概要】
【発明が解決しようとする課題】
【０００４】
特許文献１の技術では、外装体は、複数の単電池を収納する空間を形成しているため、比較的大きなサイズである。つまり、外装体は、面積が比較的大きい側壁部を有する。このため、側壁部の単電池と対向する部分は、単電池により支えられるためたわみにくいが、側壁部の単電池と対向していない部分（つまり、単電池よりも外側に拡がっている部分）は、単電池に支えられていないため外力によりたわみやすい。
【０００５】
そこで、本発明は、このような状況に鑑みてなされたものであり、蓄電装置の外装体の側壁部のたわみを抑制することができる構造の蓄電装置を提供することを目的とする。
【課題を解決するための手段】
【０００６】
上記目的を達成するために、蓄電素子と、底面と、前記底面から前記底面に交差する第一方向の一方側に少なくとも延びる側壁部と、前記側壁部を支持する支持部とを少なくとも有する外装体と、を備え、前記側壁部は、前記第一方向の端部が、前記蓄電素子の容器の前記第一方向の一方側の端部よりも、前記第一方向の一方側の領域である第一領域に位置するように形成され、前記支持部は、少なくとも前記第一領域において前記側壁部と接続されており、前記側壁部を支持する。
【０００７】
これによれば、第一領域の位置において支持部が外装体の側壁部を、当該側壁部が支持しているため、外装体の側壁部がたわむことを抑制することができる。
【０００８】
また、前記外装体は、少なくとも、互いに対向する一対の前記側壁部を有し、前記支持部は、少なくとも前記第一領域において前記一対の側壁部と接続されており、前記一対の側壁部を支持してもよい。
【０００９】
これによれば、支持部は、互いに対向する一対の側壁部を支持するため、１つの支持部によって２つの側壁部のたわみを抑制できる。このため、外装体の構造をより単純化できる。
【００１０】
また、前記外装体は、前記側壁部と嵌合する嵌合部を有する蓋体を有してもよい。
【００１１】
これによれば、外装体は、さらに、外装体本体の側壁部に嵌合する嵌合部を有する蓋体を有する。このような構成の外装体であっても、支持部が外装体の側壁部のたわみを抑制できるため、外装体本体と蓋体との組み付けを容易にすることができる。
【００１２】
また、さらに、前記第一方向の一方側に配置され、前記蓄電素子と当接する当接部材を備え、前記支持部は、前記当接部材よりも前記第一方向の一方側の第二領域において前記側壁部と接続されており、前記側壁部を支持してもよい。
【００１３】
これによれば、第二領域の位置において支持部が外装体の側壁部を支持しているため、第二領域であっても外装体の側壁部が収納空間の内方に向かってたわむことを抑制することができる。このため、蓄電素子の第一方向の一方側に当接部材が配置され、当接部材が外装体の側壁部を支えるような構造の蓄電装置であっても、さらに当接部材よりも第一方向の一方側の側壁部のたわみを抑制することができる。
【００１４】
また、前記蓄電素子は、複数設けられ、前記外装体は、複数の前記蓄電素子を収納し、前記支持部は、前記複数の蓄電素子の間に設けられ、前記収納空間を分割する仕切りであってもよい。
【００１５】
これによれば、支持部としての側壁部のたわみ抑制の機能と仕切りとしての複数の蓄電素子の絶縁を確保する機能との複数の機能を支持部が有するため、一つの部材に一つの機能を持たせる場合よりも外装体の構造を単純化できる。
【００１６】
また、前記支持部は、切り欠き部または貫通孔を有してもよい。
【００１７】
これによれば、支持部は、切り欠き部または貫通孔が形成されていても、側壁部を支持することができる。
【００１８】
また、前記外装体の前記側壁部は、前記第一方向に延びるとともに、前記第一方向と交差する第二方向に沿って延びており、前記支持部は、前記側壁部の前記第二方向の中央付近の位置において、前記側壁部と一体成型されていてもよい。
【００１９】
これによれば、支持部は、最もたわみの大きくなりやすい側壁部の第二方向の中央付近の位置に形成されているため、より効果的に外装体の側壁部のたわみを抑制することができる。
【００２０】
また、前記支持部は、前記第一方向の一方側に向かうほど、剛性が大きくてもよい。
【００２１】
これによれば、支持部は第一方向の一方側に向かうほど剛性が大きいため、外装体の側壁部のうちで最もたわみやすい部分ほど高い剛性の支持部で支持することができる。このため、支持部は、外装体の側壁部がたわむことを、より十分に抑制することができる。
【００２２】
また、前記支持部は、前記第一方向の一方側に向かうほど、厚みが厚くてもよい。
【００２３】
これによれば、支持部は、第一方向の一方側に向かうほど厚みが厚いため、第一方向の一方側に向かうほどその剛性を大きくすることができる。このため、支持部は、外装体の側壁部がたわむことを、より十分に抑制することができる。
【発明の効果】
【００２４】
本発明に係る蓄電装置によれば、蓄電装置の外装体の側壁部のたわみを抑制することができる。
【図面の簡単な説明】
【００２５】
【図１】本発明の実施の形態に係る蓄電装置の斜視図である。
【図２】蓄電装置の分解斜視図である。
【図３】複数の蓄電素子をセルフレームで外装体本体に固定した状態を示す斜視図である。
【図４】図３の複数の蓄電素子をセルフレームで外装体本体に固定した組立体のＩＶ−ＩＶ断面図である。
【図５】変形例（１）の外装体本体を示す斜視図である。
【図６】変形例（２）における、複数の蓄電素子をセルフレームで外装体本体に固定した状態を示す斜視図である。
【図７】変形例（３）における、図３の複数の蓄電素子をセルフレームで外装体本体に固定した組立体のＩＶ−ＩＶ断面図である。
【発明を実施するための形態】
【００２６】
（本発明の基礎となった知見）
本発明者は、「背景技術」の欄において記載した、蓄電装置に関して以下の問題が生じることを見出した。
【００２７】
具体的には、例えば、特許文献１の技術では、外装体本体の内部に単電池を収納しているため、外装体本体の単電池が収納される部分までは、単電池によって支えられる。このため外装体本体のたわみを抑制することができる。しかしながら、単電池よりも上の部分では、外装体本体の側壁部を支える部材がないため、外装体本体の側壁部のたわみを抑制することができない。
【００２８】
このように、外装体本体の側壁部のたわみが発生した場合、蓄電装置の外見が悪くなるばかりでなく、次のような組み付けの際の問題が生じる。例えば、外装体本体に複数の単電池、複数の単電池を規制するための規制部材（中蓋）などの組み付けを行う際に、開口部がたわみの影響で狭くなっているため、狭くなっている開口部を拡げてから組み付ける必要がある。このため、外装体本体の内部に、単電池および中蓋を挿入する組み付けに手間がかかり生産効率が低下するという問題がある。また、複数の単電池や規制部材の他にも、外装体として外装体本体に上蓋が設けられる蓄電装置では、上蓋の組み付けにも手間がかかってしまう。一方で、側壁部の剛性を大きくすることにより外装体本体の側壁部のたわみを抑制しようとすれば、材料の一部を金属部材のような剛性の大きい材料にしたり、側壁部の厚みを厚くしたりする必要があり、製造コストが大きくなってしまう。
【００２９】
このような問題についても解決するために、本発明の一態様に係る蓄電装置は、組み付けの手間を軽減し、かつ、製造コストを抑えつつ、外装体の側壁部のたわみを抑制するために以下で説明する構成としている。
【００３０】
以下、実施の形態について、図面を参照しながら説明する。なお、以下で説明する実施の形態は、いずれも本発明の好ましい一具体例を示すものである。以下の実施の形態で示される数値、形状、材料、構成要素、構成要素の配置位置および接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００３１】
（実施の形態）
図１は、本発明の実施の形態に係る蓄電装置の斜視図である。図２は、蓄電装置の分解斜視図である。
【００３２】
これらの図に示すように、蓄電装置１００は、外装体２００と、セルフレーム３００と、複数（本実施の形態では４つ）の蓄電素子４００とを備える。
【００３３】
外装体２００は、セルフレーム３００と複数の蓄電素子４００とを収納する箱状の部材である。つまり、外装体２００は、底面２３５（図４を参照）と、側壁部２３１〜２３４と、を有する。また、外装体２００は、複数の蓄電素子４００を収納する収納空間Ｓ１を形成する。外装体２００は、複数の蓄電素子４００を所定の位置に配置し、各蓄電素子４００を衝撃などから保護し、各蓄電素子４００が不本意に金属部材などに接触することを回避する外装体本体２２０と、蓋体２１０とを有する。外装体２００は、絶縁性の材料、例えば樹脂などにより構成されている。また、外装体２００は、外部正極端子１１０および外部負極端子１２０を有する。外部正極端子１１０および外部負極端子１２０は、外部の負荷へ蓄電装置１００に蓄えられた電力を供給するために外部負荷に接続される端子、または、外部の電力源から供給される電力を蓄電装置１００に蓄えるために外部電源に接続される端子である。
【００３４】
蓋体２１０は、トップカバー２１１と、蓋本体２１３とにより構成される。蓋体２１０には、トップカバー２１１と、蓋本体２１３との間に空間が形成されており、当該空間の内部に制御回路２１２が収納される。蓋体２１０は、蓋本体２１３において、外装体本体２２０の開口部２２４の内周縁と嵌合する嵌合部２１３ａ（図２の斜線ハッチング部分）を有し、開口部２２４を嵌合部２１３ａで塞ぐことにより外装体本体２２０とともに収納空間Ｓ１を形成する。つまり、嵌合部２１３ａは、側壁部２３１〜２３４と嵌合する。
【００３５】
外装体本体２２０は、底面２３５および側壁部２３１〜２３４を有し、側壁部２３１〜２３４により開口部２２４が形成される。外装体本体２２０は、互いに対向する一対の側壁部２３１、２３２と、一対の側壁部２３３、２３４とを有する。一対の側壁部２３１、２３２は、第一方向としてのＺ軸方向（上下方向）に延びるとともに、Ｚ軸方向と交差する（本実施の形態では直交する）第二方向としてのＸ軸方向に沿って延びている。また、一対の側壁部２３３、２３４は、Ｚ軸方向に延びるとともに、Ｚ軸方向と交差する（本実施の形態では直交する）第三方向としてのＹ軸方向に沿って延びている。外装体本体２２０は、複数の蓄電素子４００をそれぞれ収納するための複数の第一仕切板２２１および第二仕切板２２２を有する。つまり、複数の蓄電素子４００は、外装体本体２２０に形成される収納空間Ｓ１が複数の第一仕切板２２１および第二仕切板２２２により区切られた（分割された）複数の空間に、個別に収納される。
【００３６】
セルフレーム３００は、複数の蓄電素子４００の上方に複数（本実施の形態では２つ）設けられる。２つのセルフレーム３００は、第二仕切板２２２よりもＸ軸方向の一方側および他方側に１つずつ設けられ、１つのセルフレーム３００が２つの蓄電素子４００と当接する当接部材である。また、複数のセルフレーム３００は、それぞれが対応する複数の蓄電素子の位置を規制する規制部材として機能してもよい。また、複数のセルフレーム３００のそれぞれは、２つの蓄電素子４００の上部を一括りに束ねる。セルフレーム３００は、絶縁性の材料、例えば樹脂などにより構成されている。
【００３７】
蓄電素子４００は、充電することができ、また、放電することができる素子であり、容器４１０と、正極端子４２０と、負極端子４３０とを有する。容器４１０は、導電性の材料（例えば金属）からなる。正極端子４２０および負極端子４３０は、容器４１０の上方に突出している。複数の蓄電素子４００は、Ｘ軸方向に一列に並べられる。複数の蓄電素子４００のそれぞれは、異極端子同士が金属製の板状部材（導電部材）であるバスバー３５０により電気的に接続される。つまり、複数の蓄電素子４００は、バスバー３５０により直列接続される。バスバー３５０により直列接続された複数の蓄電素子４００は、正極側が外部正極端子１１０に接続され、負極側が外部負極端子１２０に接続される。
【００３８】
図３は、複数の蓄電素子をセルフレームで外装体本体に固定した状態を示す斜視図である。図４は、図３の複数の蓄電素子をセルフレームで外装体本体に固定した組立体のＩＶ−ＩＶ断面図である。
【００３９】
図３、４に示すように、外装体本体２２０の側壁部２３１〜２３４は、Ｚ軸方向の端部が、複数の蓄電素子４００の容器４１０のＺ軸方向の一方側（以下、「上側」とする）の端部よりも、上側の領域である第一領域Ａ１（つまり、図４の直線Ｌ１よりも上側の領域）に位置するように形成される。また、外装体本体２２０の第二仕切板２２２は、図４に示すように、外装体本体２２０の底面２３５を基準としたときの、第二仕切板２２２の高さｈ１が、当該底面２３５を基準としたときの蓄電素子４００の容器４１０の高さｈ３よりも高くなるように形成される。つまり、第二仕切板２２２は、少なくとも第一領域Ａ１において一対の側壁部２３１、２３２と接続されているため、一対の側壁部２３１、２３２を支持するための支持部としても機能する。要するに、第二仕切板２２２は、一対の側壁部２３１、２３２がたわまないように支持する。また、第二仕切板２２２は、一対の側壁部２３１、２３２と一体成型されることにより接続される。また、第二仕切板２２２は、一対の側壁部２３１、２３２のＸ軸方向の中央付近の位置において、側壁部２３１、２３２と接続されている。また、第二仕切板２２２は、底面２３５から第一領域Ａ１までに渡って形成される板状の部材である。また、第二仕切板２２２は、複数の蓄電素子４００の並び方向であるＸ軸方向に平行な一対の側壁部２３１、２３２と接続されている。つまり、第二仕切板２２２は、外装体２００の長側面に相当する側壁部２３１、２３２と接続されている。
【００４０】
さらに、第二仕切板２２２は、セルフレーム３００よりも上側の第二領域Ａ２（つまり、図４の直線Ｌ２よりも上側の領域）において、外装体本体２２０の一対の側壁部２３１、２３２と接続されており、一対の側壁部２３１、２３２を支持する。つまり、図４に示すように、外装体本体２２０の底面２３５を基準としたときの第二仕切板２２２の高さｈ１は、当該底面２３５を基準としたときの蓄電素子４００の容器４１０およびセルフレーム３００を合わせた高さｈ２よりも高い。
【００４１】
また、第二仕切板２２２には、複数の蓄電素子４００の容器４１０の上側の端部から上側に向けて所定間隔ｈ４を空けた位置よりも、さらに上側の第三領域Ａ３（つまり、図４の直線Ｌ３よりも上側の領域）でバスバー３５０を通過させるための切り欠き部２２３が形成されている。つまり、第二仕切板２２２は、切り欠き部２２３を有する。
【００４２】
また、図３、４に示すように、２つのセルフレーム３００は、外装体本体２２０の所定の位置に収納した蓄電素子４００を、上方から外装体本体２２０とともに挟み込む。２つのセルフレーム３００は、複数の蓄電素子４００のそれぞれをＺ軸方向の両側から外装体２００の底面２３５とともに挟み込んだ状態で、外装体本体２２０と図示しない接合部により接合される。なお、接合部は、ボルトおよびナットの組み合わせにより接合する構成であってもよいし、リベットを利用して接合する構成であってもよいし、セルフレームと外装体本体とが密着する部分を設けて接着剤で接合する構成であってもよいし、セルフレームおよび外装体本体の一方に凹部、他方に凹部と嵌合する凸部を設けて凹部および凸部の嵌合（圧入による嵌合）により接合する構成であってもよいし、セルフレームと外装体本体との接合部としてスナップフィットを利用して接合する構成であってもよい。
【００４３】
（特徴）
本実施の形態に係る蓄電装置１００によれば、第一領域Ａ１の位置において第二仕切板２２２が外装体２００の一対の側壁部２３１、２３２を、当該一対の側壁部２３１、２３２が支持しているため、外装体２００の一対の側壁部２３１、２３２がたわむことを抑制することができる。つまり、第二仕切板２２２は、一対の側壁部２３１、２３２が、収納空間Ｓ１の内方に向かってたわむことと、収納空間Ｓ１の外方に向かってたわむこととの両方を抑制することができる。
【００４４】
また、一対の側壁部２３１、２３２のたわみを抑制できるため、開口部２２４が狭くなることを抑制できる。このため、外装体２００に対する蓄電素子４００、セルフレーム３００、蓋体２１０などの組み付けの手間を軽減できる。これにより、蓄電装置１００の製造コストを抑えつつ、生産性を向上することができる。また、外装体２００の一対の側壁部２３１、２３２がたわむことによる外見が悪くなることを抑制することができる。
【００４５】
また、本実施の形態に係る蓄電装置１００によれば、第二仕切板２２２は、互いに対向する一対の側壁部２３１、２３２を支持する。このため、１つの支持部として機能する第二仕切板２２２によって２つの側壁部２３１、２３２のたわみを抑制できる。このため、外装体２００の構造をより単純化できる。
【００４６】
また、本実施の形態に係る蓄電装置１００によれば、外装体２００は、開口部２２４を有する外装体本体２２０と、外装体本体２２０の開口部２２４の内周縁に嵌合する嵌合部２１３ａを有する蓋体２１０とにより構成される。このような構成の外装体２００であっても、第二仕切板２２２が外装体２００の一対の側壁部２３１、２３２のたわみを抑制できるため、外装体本体２２０と蓋体２１０との組み付けを容易にすることができる。
【００４７】
また、本実施の形態に係る蓄電装置１００によれば、第二領域Ａ２の位置において第二仕切板２２２が外装体２００の一対の側壁部２３１、２３２を、当該一対の側壁部２３１、２３２を支持しているため、第二領域Ａ２であっても外装体２００の一対の側壁部２３１、２３２が収納空間Ｓ１の内方に向かってたわむことを抑制することができる。このため、蓄電素子４００の上側にセルフレーム３００が配置され、セルフレーム３００が外装体２００の一対の側壁部２３１、２３２を支えるような構造の蓄電装置１００であっても、さらにセルフレーム３００よりも上側における一対の側壁部２３１、２３２のたわみを抑制することができる。
【００４８】
また、本実施の形態に係る蓄電装置１００によれば、複数の蓄電素子４００が収納される外装体２００であって、比較的側壁部２３１、２３２の面積が大きい外装体２００を有する蓄電装置１００においても、当該側壁部２３１、２３２のたわみを抑制することができる。
【００４９】
また、本実施の形態に係る蓄電装置１００によれば、第二仕切板２２２は、支持部としての一対の側壁部２３１、２３２のたわみ抑制の機能と、仕切りとしての複数の蓄電素子４００の絶縁を確保する機能との複数の機能を有するため、一つの部材に一つの機能を持たせる場合よりも外装体２００の構造を単純化できる。
【００５０】
また、本実施の形態に係る蓄電装置１００によれば、第二仕切板２２２は、切り欠き部２２３が形成されていても、一対の側壁部２３１、２３２を支持することができる。つまり、このような第二仕切板２２２を設けることにより、バスバー３５０を配置することができ、かつ、外装体２００の一対の側壁部２３１、２３２が収納空間Ｓ１の内方へ向かってたわむことを抑制することができる。
【００５１】
また、本実施の形態に係る蓄電装置１００によれば、第二仕切板２２２は、最もたわみの大きくなりやすい一対の側壁部２３１、２３２のＸ軸方向の中央付近の位置に形成されているため、より効果的に外装体２００の一対の側壁部２３１、２３２のたわみを抑制することができる。
【００５２】
また、本実施の形態に係る蓄電装置１００によれば、第二仕切板２２２は、複数の蓄電素子４００の間を完全に仕切る部材であるため、複数の蓄電素子４００の間の絶縁を十分に図ることができる。また、第二仕切板２２２の剛性を向上させることができ、一対の側壁部２３１、２３２のたわみを十分に抑制することができる。
【００５３】
（変形例）
以上、本発明の蓄電装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【００５４】
（１）
上記実施の形態に係る蓄電装置１００によれば、支持部としての第二仕切板２２２は、底面２３５から第一領域Ａ１までに渡って形成される板状の部材であるとしたが、底面２３５から第一領域Ａ１までに渡って形成されていなくてもよい。例えば、図５に示す外装体本体２２０ａのように、第一領域Ａ１において一対の側壁部２３１、２３２を支持する支持部２２２ａとしてもよい。つまり、このように、少なくとも第一領域Ａ１において側壁部２３１、２３２と接続されており、一対の側壁部２３１、２３２を支持すれば、外装体本体２２０ａの一対の側壁部２３１、２３２がたわむことを抑制できるため有効である。なお、図５は、変形例（１）の外装体本体を示す斜視図である。
【００５５】
また、支持部２２２ａは、さらに、一対の側壁部２３１、２３２の間において連続的に繋がっており、かつ、直線状に形成されていることが好ましい。また、支持部２２２ａは、さらに、一対の側壁部２３１、２３２の少なくとも一方と垂直に形成されることが好ましい。もちろん、支持部２２２ａは、一対の側壁部２３１、２３２の両方と垂直であることがさらに好ましい。このような構成の支持部２２２ａを形成することにより、外装体２００の側壁部２３１、２３２を支持する力を強くすることができる。
【００５６】
（２）
上記実施の形態に係る蓄電装置１００によれば、第二仕切板２２２には、バスバー３５０を通過させるための切り欠き部２２３が形成されているが、切り欠き部２２３に限らない。例えば、図６に示す外装体本体２２０ｂに形成される第二仕切板２２２ｂのように、切り欠き部２２３の代わりに貫通孔２２３ｂを形成してもよい。なお、図６は、変形例（２）における、複数の蓄電素子をセルフレームで外装体本体に固定した状態を示す斜視図である。
【００５７】
（３）
上記実施の形態に係る蓄電装置１００によれば、第二仕切板２２２は、底面２３５から上側の端部まで一定の厚みであるが、これに限らない。例えば、図７に示す外装体本体２２０ｃに形成される第二仕切板２２２ｃのように、上側（つまり第一方向の一方側）に向かうほど、厚みが厚くなるように形成してもよい。つまり、第二仕切板２２２ｃは、上側の部分の厚みｔ２が、下側の部分の厚みｔ１よりも厚くなっている。このように、第二仕切板２２２ｃは、上側に向かうほど厚みが厚いため、上側に向かうほどその剛性を大きくすることができる。このため、第二仕切板２２２ｃは、外装体本体２２０ｃの一対の側壁部２３１、２３２がたわむことを、より十分に抑制することができる。なお、図７は、変形例（３）における、図３の複数の蓄電素子をセルフレームで外装体本体に固定した組立体のＩＶ−ＩＶ断面図である。
【００５８】
また、第二仕切板は、上側に向かうほどその剛性が大きければ上記の効果を有するため、上側に向かうほど厚みが厚くなる構成に限るものではない。例えば、上側に向かうほど、剛性の大きい材料が使用されている割合を増やすようにしてもよい。
【００５９】
つまり、上述のような構成の第二仕切板（支持部）は、上側に向かうほど剛性が大きいため、外装体の側壁部のうちで最もたわみやすい部分ほど大きい剛性の支持部で支持することができる。このため、支持部は、外装体の側壁部がたわむことを、より十分に抑制することができる。
【００６０】
（４）
上記実施の形態に係る蓄電装置１００によれば、第二仕切板２２２は、一対の側壁部２３１、２３２の一箇所にのみ設けられるが、これに限らずに、第一仕切板２２１を全て第二仕切板としてもよい。また、このように支持部としての第二仕切板が、複数の蓄電素子４００の全ての間に設けられる仕切りとする場合には、さらに、複数の蓄電素子４００の位置を規制する機能も支持部に持たせることができるため、複数の蓄電素子４００の位置を規制するための部材をさらに設ける必要がなくなる。このため、部材点数を減らすことができ、より構造を単純化できる。なお、この場合には、セルフレーム３００を省略しなくてもよく、セルフレームを一つの蓄電素子４００ごとに設けてもよい。
【００６１】
（５）
上記実施の形態に係る蓄電装置１００によれば、第二仕切板２２２は、一対の側壁部２３１、２３２のＸ軸方向の中央付近に設けられるがこれに限らずに、中央付近からずれた位置であってもよい。また、第二仕切板２２２は、一対の側壁部２３１、２３２の両方を支持するように設けられるが、一つの側壁部を支持するように設けられてもよい。なお、この場合には、支持部としての第二仕切板２２２は、一端が側壁部の第一領域においてに接続されていればよく、他端が側壁部からセルフレームの間、側壁部と蓋体との間、または、側壁部と外装体の底面との間のうちの何らかの構造体に当接または接続されることで、たわみを防止する構成としてもよい。なお、この場合の支持部の他端は、第一領域で当接または接続されていなくてもよい。ただし、支持部の他端は、第一領域で当接または接続されている方が、支持部が蓄電素子を載置する空間内に入り込まない（つまり、蓄電素子と干渉しない位置に配置される）ため、蓄電素子を載置させやすい構成である。
【００６２】
（６）
上記実施の形態に係る蓄電装置１００によれば、第二仕切板２２２は、Ｙ軸方向およびＺ軸方向に平行であり、一対の側壁部２３１、２３２と接続されているが、これに限らずに、Ｘ軸方向およびＺ軸方向に平行であり、一対の側壁部２３３、２３４と接続されてもよい。また、Ｘ軸方向またはＹ軸方向に平行でなくてもよく、複数の側壁部の第一領域において一体化されていれば接続されている側壁部のたわみを抑制できるため有用である。
【００６３】
（７）
上記実施の形態に係る蓄電装置１００によれば、第二仕切板２２２は、外装体２００の一対の側壁部２３１、２３２と一体成型されることにより接続されているが、一体成型されていることに限らない。例えば、第二仕切板２２２は、一対の側壁部２３１、２３２とは別部材であって、接着剤で接合されていてもよいし、物理的な機構で接合されていてもよい。つまり、一対の側壁部２３１、２３２と第二仕切板２２２との接続の形態は問わない。
【００６４】
（８）
上記実施の形態に係る蓄電装置１００によれば、蓋体２１０は嵌合部２１３ａの外面が外装体本体２２０の内面と嵌合する構成であるがこれに限らない。例えば、蓋体の内面が外装体本体の外面と嵌合する構成であってもよいし、蓋体が外装体本体の側壁部の外装体本体の外方および内方の両方から挟み込む構成であってもよい。
【００６５】
特に後者の構成では、蓋体と外装体本体との間の気密性を向上させることができる。また、蓋体に外装体本体の側壁部を嵌合する構成であるため、蓋体のたわみを抑制することができる。
【産業上の利用可能性】
【００６６】
本発明は、外装体の側壁部のたわみを抑制することができる蓄電装置として有用である。
【符号の説明】
【００６７】
１００  蓄電装置
１１０  外部正極端子
１２０  外部負極端子
２００  外装体
２１０  蓋体
２１１  トップカバー
２１２  制御回路
２１３  蓋本体
２１３ａ  嵌合部
２２０、２２０ａ、２２０ｂ、２２０ｃ  外装体本体
２２１  第一仕切板
２２２、２２２ｂ、２２２ｃ  第二仕切板
２２２ａ  支持部
２２３  切り欠き部
２２３ｂ  貫通孔
２２４  開口部
２３１、２３２、２３３、２３４  側壁部
２３５  底面
３００  セルフレーム
３５０  バスバー
４００  蓄電素子
４１０  容器
４２０  正極端子
４３０  負極端子
【図１】
2014197518.tif 000003
【図２】
2014197518.tif 000004
【図３】
2014197518.tif 000005
【図４】
2014197518.tif 000006
【図５】
2014197518.tif 000007
【図６】
2014197518.tif 000008
【図７】
2014197518.tif 000009